(57)【特許請求の範囲】
【請求項１】
上端部に第１口筒部（２）を形成し第１剤（Ａ）を収容する有底筒状の第１容体（１）と、上端部に第２口筒部（１２）を形成し、下端部を底面に底開口部（１６）を形成した底部（１４）とした第２剤（Ｂ）を収容する第２容体（１１）を有し、前記第１容体（１）の第１口筒部（２）を密閉する第１栓体（３１）と、前記第２容体（１１）の第２口筒部（１２）を密閉するキャップ体（３３）と、底開口部（１６）を密閉する第２栓体（３２）を有し、前記第１容体（１）の上端部と第２容体（１１）の下端部をヒンジ部を介して連結し、該ヒンジ部により、前記第１容体（１）と第２容体（１１）の配設位置を、使用前の上下逆転した並列状の配設位置から、使用時における、第１栓体（３１）と第２栓体（３２）による密閉を開放した状態で第１口筒部（２）と第２容体（１２）の底部（１４）を連通状に密嵌合した直列状の配設位置に移行可能に構成し、前記第１容体（１）の第１口筒部（２）に第１押込片（２６）を起立配設し、前記第１口筒部（２）と第２容体（１２）の底部（１４）の密嵌合操作に伴う第１押込片（２６）による第２栓体（３２）への押込み作用により、該第２栓体（３２）による密閉状態の開放が可能とする構成と、前記第２容体（１１）の底部（１４）に第２押込片（１７）を垂下配設し、前記第１口筒部（２）と第２容体（１１）の底部（１４）の密嵌合操作に伴う第２押込片（１７）による第１栓体（３１）への押込み作用により該第１栓体（３１）による密閉状態の開放が可能とする構成のうち、少なくとも一方の構成を有するものとした二剤混合容器。
【請求項２】
第１栓体（３１）と第２栓体（３２）のうち、一方の栓体を密嵌合操作前に取り外し可能とし、他方の栓体による密閉状態を密嵌合操作に伴い開放する構成とした請求項１記載の二剤混合容器。
【請求項３】
第１口筒部（２）に外嵌固定する第１組付リング（２２）と第２容体（１１）の底部（１４）に外嵌固定する第２組付リング（２３）を有し、該第１組付リング（２２）と第２組付リング（２３）をヒンジ部（２４）で連結する嵌合体（２１）により、第１容体（１）の上端部と第２容体（１１）の下端部を連結する構成とし、前記嵌合体（２１）を、前記第１組付リング（３１）の上端に内鍔状の頂壁を介し第１口筒部（２）に密嵌入するシール筒片（２５）を垂下設し、該シール筒片（２５）内に、該シール筒片（２５）の下端から中心軸方向に延設される複数の連結片（２７）を介して棒状の第１押込片（２６）を起立設する構成とした請求項１または２記載の二剤混合容器。
【請求項４】
第２容体（１１）の底部（１４）の下端部を段差状に縮径した縮径底筒片（１５）とし、該縮径底筒片（１５）が第１口筒部（２）に密嵌入する構成とした請求項１、２または３記載の二剤混合容器。
【請求項５】
縮径底筒片（１５）の下端外周位置から第２押込片（１７）を垂下設する構成とした請求項４記載の二剤混合容器。
【発明の詳細な説明】
【技術分野】
【０００１】
本発明は、混合して化粧料等を得る二剤を、それぞれ分離した状態で一体的に収容し、使用時に混合して化粧料等とする二剤混合容器に関するものである。
【背景技術】
【０００２】
分離して一体的に収容した二剤を、使用時に混合する二剤混合容器として、上下に連結して密に組付けられた上下の容体に第１剤と第２剤とを別々に収容し、相互間を中蓋で遮断して構成され、使用時に中蓋を一方の容体内に離脱させて、両容体を連通状態として二剤の混合を達成するようにしたものが特許文献１として知られている。
【特許文献１】特開平９−１１８３７５号公報
【発明の開示】
【発明が解決しようとする課題】
【０００３】
しかしながら、上記した従来技術のタイプの容器では、中蓋を脱離するために複雑な脱離機構を配設する必要があり、また両容体を相対的回動させる等その使用方法が複雑で、使用方法を間違える恐れがある、と云う問題があった。
【０００４】
そこで、本発明は機構が簡単で、その混合方法が直感的に理解できる二剤混合のための機構の創出を技術的課題とし、もって誤操作がなく操作性に優れた二剤混合容器を提供することを目的とする。
【課題を解決するための手段】
【０００５】
上記課題を解決するための、二剤混合容器に係る本発明の基本的な構成は、
上端部に第１口筒部を形成し第１剤を収容する有底筒状の第１容体と、上端部に第２口筒部を形成し、下端部を底面に底開口部を形成した底部とした第２剤を収容する第２容体を有すること、
第１容体の第１口筒部を密閉する第１栓体と、第２容体の第２口筒部を密閉するキャップ体と、底開口部を密閉する第２栓体を有すること、
第１容体の上端部と第２容体の下端部をヒンジ部を介して連結すること、
このヒンジ部により、第１容体と第２容体の配設位置を、使用前の上下逆転した並列状の配設位置から、使用時における、第１栓体と第２栓体による密閉を開放した状態で第１口筒部と第２容体の底部を連通状に密嵌合した直列状の配設位置に移行可能に構成すること、
第１容体の第１口筒部に第１押込片を起立配設し、第１口筒部と第２容体の底部の密嵌合操作に伴う第１押込片による第２栓体への押込み作用により、この第２栓体による密閉状態の開放が可能とする構成と、第２容体の底部に第２押込片を垂下配設し、第１口筒部と第２容体の底部の密嵌合操作に伴う第２押込片による第１栓体への押込み作用により、この第１栓体による密閉状態の開放が可能とする構成のうち、少なくとも一方の構成を有すること、
と云うものである。
【０００６】
本発明による上記構成の二剤混合容器では、第１容体の上端部と第２容体の下端部をヒンジ部を介して連結し、使用前には第１容体と第２容体を上下逆転した並列状にして保管し、そして使用時にはヒンジ部を利用して第１容体の上に直列状に第２容体を位置させて、第１容体の第１口筒部と第２容体の底部を連通状に密嵌合し二剤を混合する。
ここで、第１容体の上端部と第２容体の下端部をヒンジ部を介して連結しているので、使用前には第１容体の上端部に位置する第１口筒部と第２容体の下端部に位置する底部が肩を並べるように、すなわち上記したように上下逆転した並列状に配設される。
ここで、本発明の構成を記載するにあたって、第１容体と第２容体の上下方向の記載、あるいは起立、垂下等の部位の付設方向の記載については、第１容体と第２容体それぞれの口筒部を上、そして底部を下としてその上下方向を決めて記載するようにしている。
【０００７】
そしてこのように、第１容体の上端部と第２容体の下端部をヒンジ部を介して連結する構成とすることにより、使用者は、使用時に第１容体と第２容体を直列、連通状に結合する際に、その上下位置や、前後左右の方向性を意識することなく簡単に、かつ確実に操作することができる。
また第１容体と第２容体を使用前から直列状に組付き固定したタイプの二剤混合容器に比較して混合方法が直感的に理解できるものであり、安心して操作することができる。
また、第１容体と第２容体はヒンジ部を介していつも揃った状態で保管されるので、一方を何処かに無くしてしまった等の問題も解消することができる。
【０００８】
そして、使用時には第１栓体と第２栓体による密閉を開放した状態で第１口筒部と第２容体の底部を連通状に密嵌合し、すなわち第１容体と第２容体を直列、連通状に結合し、二剤を混合し、必要に応じて十分に混合するために容器全体を振盪させて、最後に第２容体の第２口筒部のキャップ体を外して混合剤を注出する。
【００１０】
第１口筒部と第２容体の底部を密嵌合する際に、第１栓体と第２栓体による密閉を開放するためには様々な態様の機構を採用することができるが、嵌合操作中に収容されている剤が外部に漏れたり飛散しないように、また使用者が特に意識することなく嵌合操作に伴なってスムーズにかつ確実にできるような機構とする必要がある。
【００１１】
その中で上記構成は、第１栓体あるいは第２栓体による密閉状態の開放機構に係る具体例に係るものであり、第１容体の第１口筒部と第２容体の底部の嵌合操作に伴なう、第１口筒部と底部との上下方向の相対的な変位を利用して栓体の密閉状態を開放するものである。
【００１２】
第２栓体による密閉状態の開放は、第１容体の第１口筒部に第１押込片を起立配設することにより、嵌合操作に伴ってこの第１押込片により第２栓体に押込力を作用させて達成することができ、
一方、第１栓体による密閉状態の開放は、第２容体の底部に第２押込片を起立配設することにより、嵌合操作に伴ってこの第２押込片により第１栓体に押込力を作用させて達成することができる。
【００１３】
ここで、操作性や剤の漏れや飛散の心配を考慮すると、第１栓体と第２栓体の双方を上記のような構成として嵌合操作に伴って双方の栓体による密閉状態を開放するのが好ましいが、使用前に第３の剤を添加する等、使用目的によっては第１栓体と第２栓体の一方だけを上記のような構成とすることが好ましい場合もあり、この点も考慮して上記構成では「少なくとも一方の構成を有するようにする」と云うように記載している。
【００１４】
本発明の他の構成は、上記の構成に加えて、
第１栓体と第２栓体のうち、一方の栓体を密嵌合操作前に取り外し可能とし、他方の栓体による密閉状態を密嵌合操作に伴い開放する構成としたものである。
【００１５】
たとえば二剤を混合する前に第１容体の第３の剤を添加する等、使用目的によっては、たとえば第１栓体を蓋状あるいはキャップ状にして、嵌合操作前にこの第１栓体を手で取り外し、その後嵌合操作に伴って第２栓体の密閉状態を開放すると云うような使用方法も有るが、上記構成はこのような点を考慮したものである。
【００１６】
本発明のさらに他の構成は、基本的な構成に加えて、
第１口筒部に外嵌固定する第１組付リングと第２容体の底部に外嵌固定する第２組付リングを有し、この第１組付リングと第２組付リングをヒンジ部で連結する嵌合体により、第１容体の上端部と第２容体の下端部を連結する構成とし、嵌合体を、第１組付リングの上端に内鍔状の頂壁を介し第１口筒部に密嵌入するシール筒片を垂下設し、このシール筒片内に、シール筒片の下端から中心軸方向に延設される複数の連結片を介して棒状の第１押込片を起立設する構成とする、というものである。
【００１７】
上記構成は、第１容体の上端部と第２容体の下端部をヒンジ部で連結するための具体的な構成の一例であり、このようにヒンジ部を別部材で構成することにより、第１容体と第２容体の形状に係る設計の自由度を大きくすることができ、また使用時の密嵌合操作をより容易にすることができる。
また、後述するようにこの嵌合体を利用して押込片を第１口筒部、あるいは第２容体の底部に容易に配設することが可能となる。
【００１９】
さらに、嵌合体を利用して容易に棒状の第１押込片を、シール筒片を介して第１口筒部内に配設することができる。
同様に、第１組付リングを利用して第２押込片を第２容体の底部内に配設することが可能である。
【００２０】
本発明のさらに他の構成は、第２容体の底部の下端部を段差状に縮径した縮径底筒片とし、この縮径底筒片が第１口筒部に密嵌入する構成とするものである。
【００２１】
上記構成は、第１口筒部と２容体の底部の密嵌合様式に係るものであり、縮径底筒片を第１口筒部に密嵌入する構成とすることにより、第１口筒部と２容体の底部をしっかりと組付け固定することができる。
【００２２】
本発明のさらに他の構成は、上記構成に加えて縮径底筒片の下端外周位置から第２押込片を垂下設する構成とすると云うものである。
【００２３】
上記構成は、第２押込片の配設方法に係るものであり、縮径底筒片を利用して容易に第２押込片を底部に配設することができる。
【発明の効果】
【００２４】
本発明は、上記した構成となっているので、以下に示す効果を奏する。
基本的な構成を有するものにあっては、第１容体の上端部と第２容体の下端部をヒンジ部を介して連結する構成とすることにより、使用者は第１容体と第２容体の上下位置や前後左右の方向性を意識することなく、この第１容体と第２容体を直列、連通状に結合することにより、簡単、かつ確実に二剤混合操作をすることができる。
【００２５】
二剤の混合方法が直感的に理解できるものであり、安心して操作することができる。また、第１容体と第２容体はヒンジ部を介していつも揃った状態で保管されるので、一方を何処かに無くしてしまった等の問題も解消することができる。
【００２６】
押込片を起立配設するものにあっては、嵌合操作時にこの押込片で第１栓体あるいは第２栓体に押込力を作用させることができ、嵌合操作に伴なって使用者が特に意識することなく第１栓体あるいは第２栓体による密閉状態を開放することができる。
【００２７】
第１栓体と第２栓体のうち、一方の栓体を密嵌合操作前に取り外し可能とするものにあっては、たとえば二剤を混合する前に第１容体あるいは第２容体に第３の剤を添加する等の用途に使用することができる。
【００２８】
第１組付リングと第２組付リングをヒンジ部で連結した嵌合体を用いるものにあっては、第１容体と第２容体の形状に係る設計の自由度を大きくすることができ、また使用時の嵌合操作をより容易にすることができる。
【００２９】
また、嵌合体の第１組付リングあるいは第１組付リングを利用して、第１押込片あるいは第２押込片を容易に、第１口筒部内に起立配設、あるいは第２容体の底部に垂下配設することができる。
【００３０】
第２容体の底部の下端部を段差状に縮径した縮径底筒片とするものにあっては、使用時に第１口筒部と第２容体の底部をしっかりと組付け固定することができる。
また、縮径底筒片を利用して容易に第２押込片を底部に配設することができる。
【発明を実施するための最良の形態】
【００３１】
以下、本発明の実施形態を実施例に沿って図面を参照しながら説明する。
図１と図２は本発明の二剤混合容器の第１実施例を説明するためのものであり、図１は使用前の半縦断正面図、図２は二剤混合状態時の半縦断正面図である。この容器の主たる構成部材は、有底円筒状の第１容体１と、同じく有底円筒状の第２容体１１と、これら第１容体１と第２容体１１を連結する部材である嵌合体２１の３つの主部材から構成されている。
【００３２】
第１容体１は第１口筒部２と円筒状の胴部３と底部４を有し第１剤Ａを収納する。
第２容体１１は第２口筒部１２と円筒状の胴部１３と底部１４を有し第２剤Ｂを収納するが、底部１４の上端部は後述する嵌合体２１の第２組付リング２３が外嵌するため胴部１３に比較して若干段差状に縮径している。
また、この底部１４の下端部をさらに段差状に縮径した縮径底筒片１５としており、この縮径底筒片１５の底面に底開口部１６が形成されている。
また、縮径底筒片１５の下端から等中心角度の位置４本の第２押込片１７が起立設している。
【００３３】
嵌合体２１は、第１口筒部２に外嵌固定する第１組付リング２２と第２容体１１の底部１４に外嵌固定する第２組付リング２３をヒンジ部２４で一体連設した構造である。
また、第１組付リング２２の上端に内鍔状の頂壁を介し第１口筒部２に密嵌入するシール筒片２５を垂下設し、さらにこのシール筒片２５の下端部から複数、中心軸に向かって延設される連結片２７を介して、第１口筒部２内に棒状の第１押込片２６を起立一体連設している。
【００３４】
そして、第１容体１の第１口筒部２に第１組付リング２２を外嵌固定し、第２容体１１の底部１４に第２組付リング２３を外嵌固定することにより、第１容体１と第２容体１１がヒンジ部２４を軸として、回動可能に連設される。
【００３５】
使用前の保管状態では図１に示すように、第１容体１に第１剤Ａを充填後、第１組付リング２２に延設したシール筒片２５の下端部に第１栓体３１を下方から密嵌入して第１口筒部２を密閉する。
また、第２容体１１に第２剤Ｂを充填後、縮径底筒片１５の底開口部１６に第２栓体３２を密嵌入してこの底開口部１６を密閉し、第２口筒部１２はキャップ体３３を螺合組付けして密閉する。
そして上記のように３箇所密閉した状態で、第１容体１の第１口筒部２と第２容体１１の底部１４が肩を並べるように、第１容体１と第２容体１１を上下逆転した並列状にし、箱詰め等の包装をして保管する。
【００３６】
次に、この製品を使用する時には図１中の白抜き矢印で示されるように第２容体１１をヒンジ部２４を軸として回動させて、図２に示されるように第１口筒部２に密嵌入するシール筒片２５に第２容体１１の底部１４の縮径底筒片１５を密嵌入し、第１口筒部２と底部１４を密嵌合した直列状の配設位置とする。
【００３７】
この際、上記密嵌合操作に伴なって、第１栓体３１は第２押込片１７により押し下げられてシール筒片２５から脱落し、第２栓体３２は第１押込片２６により押し上げられて底開口部１６から脱落し、第１口筒部２と底部１４が連通状態となり第１剤Ａと第２剤Ｂが混合して混合剤Ｃとなる。
ここで、本実施例の容器では密嵌合操作に伴なって第１栓体３１と第２栓体３２を共に脱密嵌合する構成であり、収納剤の液漏れや、飛散の恐れがないので容器全体の姿勢に留意することなくこの密嵌合操作を安心して実施することができる。
【００３８】
そして、必要に応じて容器全体を振盪等して第１剤Ａと第２剤Ｂを十分混合し、最後にキャップ体３３を第２口筒部から外して混合剤Ｃを外部に注出する。
【００３９】
次に、図３と図４は本発明の二剤混合容器の第２実施例を説明するためのものであり、図３は使用前の半縦断正面図、図４は二剤混合状態時の半縦断正面図である。
この容器は、図１、２に示す第１実施例の容器と類似的なものであるが、使用時、第１口筒部２と第２容体１１の底部１４を密嵌合する前に第１栓体３１を第１口筒部２から取り外し、その後密嵌合操作に伴なって第２栓体３２を第１押込片２６により押し上げて底開口部１６から脱落させて、第１口筒部２と底部１４を連通状態として第１剤Ａと第２剤Ｂを混合して混合剤Ｃとするように構成している。
【００４０】
このため、第１栓体３１はシール筒片２５の上端に上方から密嵌入し、指先で取り外しができる蓋体としている。また、このような構成に伴なって第１実施例の容器で第１栓体３１の押込みのために付設した第２押込片１７は付設されていない。
【００４１】
この第２実施例のような構成の容器では、予め第１栓体を開放状態とするので、密嵌合操作の際には、第１剤の液漏れや飛散を防ぐために第１栓体を取外した後、第１容体１を起立姿勢に維持した状態で、第２容体１１を回動させて密嵌合操作を実施する必要があるが、
たとえば第１栓体を手で取り外し、第１剤内に第３三剤を添加し、その後密嵌合操作に伴って第２栓体の密閉状態を開放して、３つの剤を混合して使用する等の用途には適している。
【００４２】
以上、本発明の実施形態を実施例に沿って説明したが、本発明の実施形態はこれら実施例に限定されるものではない。
たとえば、上記実施例では第２容体１１のキャップ体３３で密閉する例を示したが、このキャップ体に櫛体等の塗布体や、注出口を付設した構成とすることもできる。
また、押込片の形状や配設態様も、栓体による密閉状態を開放する機能や、成形性を考慮しながら、第１口筒部と第２容体の底部の嵌合操作に伴なう、第１口筒部と底部との上下方向の相対的な変位を利用してさまざま態様で構成することができる。
【産業上の利用可能性】
【００４３】
以上説明したように本発明の二剤混合容器は、機構が簡単でその混合方法が直感的に理解でき、誤操作のない操作性に優れたものであり化粧料容器等の分野での幅広い展開が期待される。
【図面の簡単な説明】
【００４４】
【図１】本発明の二剤混合容器の第１実施例の半縦断正面図である。
【図２】図１の容器の二剤混合状態時の半縦断正面図である。
【図３】本発明の二剤混合容器の第２実施例の半縦断正面図である。
【図４】図３の容器の二剤混合状態時の半縦断正面図である。
【符号の説明】
【００４５】
１  ；第１容体
２  ；第１口筒部
３  ；胴部
４  ；底部
１１；第２容体
１２；第２口筒部
１３；胴部
１４；底部
１５；縮径底筒片
１６；底開口部
１７；第２押込片
２１；嵌合体
２２；第１組付リング
２３；第２組付リング
２４；ヒンジ部
２５；シール筒片
２６；第１押込片
２７；連結片
３１；第１栓体
３２；第２栓体
３３；キャップ体
Ａ  ；第１剤
Ｂ  ；第２剤
Ｃ  ；混合剤
【図１】
0005046108.tif 000002
【図２】
0005046108.tif 000003
【図３】
0005046108.tif 000004
【図４】
0005046108.tif 000005